(57)【要約】【課題】、外出先等において、所望の時間に所望のＴＶ番組やラジオ番組を視聴できるようにすること。【解決手段】ＴＶ番組又はラジオ番組のアナログ若しくはデジタル方式の放送信号を受信する受信手段１１と、受信した放送信号を視聴先端末３０で視聴可能なＡＶデータに変換するＡＶデータ・フォーマット変換手段１２と、ＡＶデータ・フォーマット変換手段１２で変換された変換後のＡＶデータ又は変換前のＡＶデータを送信する送信手段１７とを有するＡＶデータ伝送システムである。ＡＶデータ・フォーマット変換手段１２により、受信した放送信号を視聴先端末３０で視聴可能なフォーマットに変換し、その変換後のＡＶデータを送信することで、ＴＶ・ラジオのチューナー機能のない携帯端末やパソコン等の視聴先端末３０で、所望の時間にＴＶ番組やラジオ番組を視聴できるようになる。【選択図】図１
2007043354.tif 000002
【特許請求の範囲】
【請求項１】
ＴＶ番組又はラジオ番組のアナログ若しくはデジタル方式の放送信号を受信する受信手段と、受信した放送信号を視聴先端末で視聴可能なＡＶデータに変換するＡＶデータ・フォーマット変換手段と、ＡＶデータ・フォーマット変換手段で変換された変換後のＡＶデータ又は変換前のＡＶデータを送信する送信手段とを有するＡＶデータ伝送システム。
【請求項２】
視聴先端末の種類に応じて変換後のＡＶデータ・フォーマットを指定するＡＶデータ・フォーマット指定手段を有し、ＡＶデータ・フォーマット変換手段は、前記放送信号をＡＶデータ・フォーマット指定手段により指定されたＡＶデータに変換する請求項１に記載のＡＶデータ伝送システム。
【請求項３】
デジタル放送で配信されるＡＶデータ又は前記放送信号の変換後のＡＶデータを視聴先端末で一度に視聴可能なデータ量以下となるように複数のファイルに分割する分割手段を有し、送信手段は、分割された複数のファイルを送信する請求項１又は２に記載のＡＶデータ伝送システム。
【請求項４】
１ファイル当たりのＡＶデータの記録時間を指定する記録時間指定手段を有し、分割手段は、記録時間指定手段により指定された記録時間に応じてＡＶデータを複数のファイルに分割する請求項３に記載のＡＶデータ伝送システム。
【請求項５】
送信手段は、インターネット上の指定されたＵＲＬにＡＶデータを送信しアップロードする請求項１〜４のいずれかに記載のＡＶデータ伝送システム。
【請求項６】
前記ＵＲＬに視聴先端末からアクセスがあった場合、視聴先端末が有する唯一無二の番号、文字、記号等で構成される文字列を確認し、これがインターネットのサーバーに予め登録された前記視聴先端末の文字列と合致した場合にのみアクセスを許可するアクセス許可手段を有する請求項５に記載のＡＶデータ伝送システム。
【請求項７】
前記ＵＲＬから視聴先端末にＡＶデータをダウンロードする際に、視聴先端末が有する唯一無二の番号、文字、記号等で構成される文字列を確認し、これがインターネットのサーバーに予め登録された前記視聴先端末の文字列と合致した場合にのみダウンロードを許可するダウンロード許可手段を有する請求項６に記載のＡＶデータ伝送システム。
【発明の詳細な説明】
【技術分野】
【０００１】
本発明は、ＴＶ番組又はラジオ番組の放送信号を受信し、それを視聴先端末で視聴可能に伝送するＡＶデータ伝送システムに関する。
【背景技術】
【０００２】
ＴＶ番組又はラジオ番組を外出や仕事等のためにリアルタイムで視聴できない場合、そのＴＶ番組又はラジオ番組を録画又は録音し後で視聴するのが一般的である。そして、従来、番組録画予約の利便性を向上させるため、様々な技術が提案されている。
【０００３】
例えば、特許文献１には、携帯端末で番組録画予約する技術が開示されている。具体的にこの技術では、デジタル放送で送られてくる放送情報から番組情報を抽出して、この抽出した番組情報データを汎用性のあるブラウザで見ることのできるデータに変換し、この変換されたデータを汎用性のあるブラウザを組み込んだ携帯端末で受取り、この携帯端末で番組予約をする。そして、記録装置が番組予約データを受信し、番組録画する。
【０００４】
この技術によれば、外出先等からも番組録画予約できるようになり、その利便性は向上する。しかし、録画された番組を視聴するには、記録装置が設置されている場所に行く必要があり、所望の時間に所望の番組を視聴することはできない。
【０００５】
例えば、ＴＶ番組等には番組終了後、所定時間内に応答しなければサービスや特典が得られない場合があり、このような場合、上記特許文献１の技術では、そのＴＶ番組を録画により視聴できたとしても、時間切れでサービスや特典を得ることができないという事態が生じる。
【特許文献１】特開２００１−３３３４１４号公報
【発明の開示】
【発明が解決しようとする課題】
【０００６】
本発明が解決しようとする課題は、外出先等において、所望の時間に所望のＴＶ番組やラジオ番組を視聴できるようにするためのＡＶデータ伝送システムを提供することにある。
【課題を解決するための手段】
【０００７】
本発明のＡＶデータ伝送システムは、ＴＶ番組又はラジオ番組のアナログ若しくはデジタル方式の放送信号を受信する受信手段と、受信した放送信号を視聴先端末で視聴可能なＡＶデータに変換するＡＶデータ・フォーマット変換手段と、ＡＶデータ・フォーマット変換手段で変換された変換後のＡＶデータ又は変換前のＡＶデータを送信する送信手段とを有するものである。
【０００８】
すなわち本発明では、ＡＶデータ・フォーマット変換手段により、受信した放送信号を視聴先端末で視聴可能なＡＶデータに変換し、その変換後のＡＶデータを送信することで、ＴＶ・ラジオのチューナー機能のない携帯端末やパソコン等の視聴先端末で、所望の時間にＴＶ番組やラジオ番組を視聴できる。また、放送信号がデジタル形式で、受信したＡＶデータがそのまま視聴先端末で視聴可能な場合、ＡＶデータ・フォーマット変換手段で変換せずに、受信したＡＶデータをそのまま送信してもよい。
【０００９】
本発明では、視聴先端末の種類に応じて変換後のＡＶデータ・フォーマットを指定するＡＶデータ・フォーマット指定手段を設け、放送信号をＡＶデータ・フォーマット指定手段により指定されたＡＶデータに変換するようにすることができる。
【００１０】
また、デジタル放送で配信されるＡＶデータ又は前記放送信号の変換後のＡＶデータを視聴先端末で一度に視聴可能なデータ量以下となるように複数のファイルに分割する分割手段を設け、分割された複数のファイルを送信するようにすることもできる。
【００１１】
この場合、１ファイル当たりのＡＶデータの記録時間を指定する記録時間指定手段を設け、この記録時間指定手段により指定された記録時間に応じてＡＶデータを複数のファイルに分割することもできる。
【００１２】
本発明において、送信手段はＡＶデータを直接、視聴先端末に送信し、視聴先端末で視聴するようにすることができる。ただし、視聴先端末に一番組分のＡＶデータの全てを記憶するだけの記憶容量がない場合等には、インターネット上のサーバーを介して視聴先端末に送信する。この場合、送信手段は、インターネット上の指定されたＵＲＬ（視聴者個人の専用ホームページ）にＡＶデータを送信しアップロードする。アップロードしたＡＶデータのファイル・リストを表示するために、自分専用のホームページは自動的に更新される。自動的なホームページの更新は、ホスト端末からホームページデータをアップロードする、アップロードされたホームページのデータ内に自動更新用のプログラムを仕組んでおく、等の現在一般的に使用されている技術によって行うことができる。また、ホームページのデータを更新するときに、後述するように、ホームページへのアクセス若しくはＡＶデータのダウンロードを許可するために必要となる「番号、文字、記号等で構成される文字列」の情報がインターネットのサーバーに送信され登録される。
【００１３】
ＡＶデータをアップロードするホームページのＵＲＬは唯一無二のアドレスにし、このＵＲＬにアクセスがあった場合にアクセス許可手段が、視聴先端末が有する唯一無二の番号、文字、記号等で構成される文字列（以下、単に「文字列」という。)を確認し、これがインターネットのサーバーに予め登録された前記視聴先端末の文字列と合致した場合にのみアクセスを許可するようにすることもできる。
【００１４】
加えて、ＵＲＬから視聴先端末にＡＶデータをダウンロードする際に、視聴先端末が有する唯一無二の文字列を確認し、これがインターネットのサーバーに予め登録された前記視聴先端末の文字列と合致した場合にのみダウンロードを許可するようにしてもよい。
【発明の効果】
【００１５】
本発明によれば、外出先等において、所望の時間に所望のＴＶ番組やラジオ番組を視聴できるようになる。
【００１６】
また、ホスト端末を海外に設置して海外の放送をチェックすることにより、マスコミ関係者はインターネットに掲載される情報よりも早く海外のニュースを知ることができる。また、証券会社で働く人々や、デイ・トレイダー、先物取引会社で働く人々などは、世界のニュースを誰よりも早く知りたいものである。このような人達にとって、このシステムは非常に有力なものとなる。
【発明を実施するための最良の形態】
【００１７】
以下、図面に示す実施例に基づき本発明の実施の形態を説明する。
【００１８】
図１は、本発明に係るＡＶデータ伝送システムの一実施例を示すシステム構成図である。同図において、ホスト端末１０は受信手段１１により放送信号を受信し、この放送信号をＡＶデータ・フォーマット変換手段１２により、視聴先端末３０で視聴可能なＡＶデータに変換する。変換後のＡＶデータは、視聴先端末３０の種類に応じてＡＶデータ・フォーマット指定手段１３により指定される。視聴先端末３０で視聴可能なＡＶデータに変換された変換後のＡＶデータは、分割手段１４により、視聴先端末３０で一度に視聴可能なデータ量以下となるように複数のファイルに分割され、記憶手段１６に蓄積される。１ファイル当たりの記録時間は、記録時間指定手段１５により指定され、これに基づき分割手段１４は変換後のＡＶデータを逐次分割する。また、記憶手段１６へのデータ蓄積の開始時間と終了時間、すなわち、録画の開始時間と終了時間は記録開始・終了時間指定手段１８により指定する。
【００１９】
分割された変換後のＡＶデータの複数のファイルは、送信手段１７によりインターネット２０上の特定のＵＲＬにアップロードされる。このＵＲＬは、視聴先端末３０からアクセス可能な唯一無二のＵＲＬアドレスにする。このＵＲＬにアップロードされたＡＶデータをダウンロードして視聴するには、まず視聴先端末３０から前記のＵＲＬにアクセスする。このとき、インターネット２０側のアクセス許可手段２１はアクセスのあった視聴先端末が有する唯一無二の文字列を確認し、その文字列が閲覧しようとするＵＲＬから許可された文字列、すなわちインターネット２０のサーバーに予め登録された文字列と合致した場合にのみアクセスを許可する。アクセスが許可されたら、視聴先端末３０よりダウンロードの指示を行う。その際、インターネット２０側のダウンロード許可手段２２はダウンロード指示のあった視聴先端末が有する唯一無二の文字列を確認し、その文字列がＵＲＬを閲覧するために必要な文字列、すなわちインターネット２０のサーバーに予め登録された文字列と合致した場合にのみダウンロードを許可する。ダウンロードが許可されたら、ＡＶデータのファイルを１つずつダウンロードし視聴する。
【００２０】
以下、上述の各手段を具体的に説明する。
【００２１】
受信手段１１は、ホスト端末１０に付帯するもので、図示の例ではアンテナ１１ａとチューナー部１１ｂとから構成される。図示の例のようにチューナー部１１ｂ（チューナー機能）がホスト端末１０に内蔵されている場合には、アンテナ１１ａをホスト端末１０のチューナー部１１ｂに接続する。ホスト端末１０がチューナー機能を内蔵していない場合には、別途にチューナーを設ける。受信したい番組がインターネット・コンテンツである場合は、ホスト端末１０をモデムやルーターを介してインターネットに接続することで、所望の番組を受信する。なお、ラジオ番組の放送信号を受信したい場合で、ホスト端末１０にチューナー機能がない場合は、チューナー部としてラジオを介して受信することもできる。
【００２２】
ＡＶデータ・フォーマット変換手段１２はホスト端末１０に組み込まれており、受信した放送信号を、ソフト的又はハード的あるいはソフト＋ハード的に変換して視聴先端末３０で視聴可能なＡＶデータに変換する。例えば、アナログビデオ信号（ＮＴＳＣ）をＭＰＥＧ２、アナログビデオ信号（ＮＴＳＣ）をＭＰＥＧ４（３ＧＰＰ）、デジタルビデオ信号（ＭＰＥＧ２）をＡＶＩ（Ｄｉｖｘ）へ変換する。
【００２３】
ＡＶデータ・フォーマット指定手段１３はＡＶデータ・フォーマット変換手段１２により変換する変換後のＡＶデータ・フォーマットを指定するものである。具体的には、視聴先端末３０で視聴可能なＡＶデータ・フォーマットを指定するために、ＡＶデータ・フォーマット形式、視聴先端末３０の種別（メーカー）、型番を指定する。ＡＶデータ・フォーマット指定手段１３による上記各項目の指定は、ホスト端末１０のディスプレー上で容易に行うことができる。図２は、その表示画面例を示す。まず、第１の画面（ａ）でＡＶデータ・フォーマット形式を指定し（実施例では３ＧＰＰを指定）、詳細設定のボタンをクリックする。ここで、詳細ボタンをクリックするのは、同じＡＶデータ・フォーマット形式でも、細かく分類すれば複数の種類があり、視聴可能な端末もあれば視聴不可能な端末もあるため、視聴先端末で視聴可能なＡＶデータ・フォーマットをさらに細かく指定するためである。例えば、３ＧＰＰ形式の動画が再生可能とうたっているメーカーでも、１秒間に３０枚（３０フレーム）の画像を再生できるものもあれば、１５枚（１５フレーム）の画像しか再生できないものもあり、ＡＶデータ・フォーマット形式は同じでも、フレームレートが異なると再生できないものもあることから、ＡＶデータ・フォーマットをさらに細かく指定する。
【００２４】
具体的には第１の画面（ａ）において詳細設定をクリックすると第２の画面（ｂ）が現れる。第２の画面（ｂ）では、視聴先端末の種別（メーカー）を指定し（実施例ではＤｏｃｏｍｏを指定）、詳細設定のボタンをクリックすると第３の画面（ｃ）が現れる。第３の画面（ｃ）では視聴先端末の機種を指定する（実施例ではＰ９００を指定）。これらの項目を指定することで、視聴先端末で視聴可能なＡＶデータ・フォーマットが選択、指定され、ＡＶデータが、上述のＡＶデータ・フォーマット変換手段１２により指定されたＡＶデータに変換される。なお、図２の第１〜第３の画面（ａ）〜（ｃ）の現れる順序は任意で構わない。
【００２５】
実施例では、ＡＶデータ・フォーマット指定手段１３をホスト端末１０に組み込み、ホスト端末１０の操作によりＡＶデータ・フォーマットを指定するようにしたが、視聴先端末３０の操作によりＡＶデータ・フォーマットを指定するようにしてもよい。この場合、視聴先端末３０からインターネット２０上の自分専用のホームページ（後述する特定のＵＲＬ）にアクセスし、その画面上で図２と同じ要領でＡＶデータ・フォーマットを指定する。そして、この指定内容をインターネット２０を介してホスト端末１０内のＡＶデータ・フォーマット変換手段１２に送信し反映させるようにする。
【００２６】
また、視聴先端末３０からホスト端末１０にメールを用いて例えば図３に示すように「使用端末型番」及び「指定フォーマット」を送信し、フォーマット指定することもできる。
【００２７】
分割手段１４はホスト端末１０に組み込まれており、ＡＶデータ・フォーマット変換手段１２によって変換した変換後のＡＶデータを、ソフト的又はハード的あるいはソフト＋ハード的に複数のファイルに分割するものである。この分割手段１４は、記録時間指定手段１５で指定された記録時間に応じて変換後のＡＶデータを複数のファイルに分割するが、例えば、１分毎に分割する場合、変換後のＡＶデータの受信開始から１分毎に１ファイルとして逐次分割し、そのファイルを記憶手段１６に蓄積する。なお、実施例では変換後のＡＶデータを分割するようにしたが、変換前のＡＶデータ（デジタル放送で配信されるＡＶデータ等）を分割し、ＡＶデータ・フォーマット変換手段１２により変換した後に記憶手段１６に蓄積するようにしてもよい。
【００２８】
記録時間指定手段１６は、分割手段１４によって生成される１ファイルの容量が視聴先端末３０で一度に視聴可能なデータ量以下となるように、１ファイル毎の記録時間を指定するものである。記録時間指定手段１６による記録時間の指定は、ホスト端末１０のディスプレー上で容易に行うことができる。図４は、その表示画面例を示す。この画面上で記録時間を入力し、ＯＫをクリックすることで、記録時間が指定される。
【００２９】
実施例では、記録時間指定手段１３をホスト端末１０に組み込み、ホスト端末１０の操作により記録時間を指定するようにしたが、視聴先端末３０の操作により記録時間を指定するようにしてもよい。この場合、視聴先端末３０からインターネット２０上の自分専用のホームページにアクセスし、その画面上で図４と同じ要領で記録時間を指定する。そして、この指定内容をインターネット２０を介してホスト端末１０内の分割手段１４に送信し反映させるようにする。
【００３０】
また、視聴先端末３０からホスト端末１０に例えば図５に示すようなメールを送信し、記録時間を指定することもできる。この場合、あらかじめホスト端末１０側にメールアドレスを登録しておき、登録したアドレスから送られてきたメールのみをチェックするようにする。
【００３１】
記録開始・終了時間指定手段１８は、記憶手段１６へのデータ蓄積の開始時間と終了時間、すなわち、録画の開始時間と終了時間を指定するものである。これは、現在のビデオテープレコーダで適用されているものと同様に、ホスト端末１０側の操作により録画の開始時間と終了時間を直接入力したり、ＧコードあるいはＥＰＧ（電子番組コード）を入力したりすることで実現できる。
【００３２】
また、視聴先端末３０から録画の開始時間と終了時間を指定することもできる。図６は、その表示画面例を示す。この画面上において録画の開始時間と終了時間を直接入力、あるいはＧコードを入力し、インターネット２０を介してホスト端末１０に送信する。また、視聴先端末３０からホスト端末１０に例えば図７に示すようなメールを送信し、録画の開始時間と終了時間、あるいはＧコードを指定することもできる。
【００３３】
記憶手段１６は、変換後ＡＶデータの各ファイルを蓄積するためのもので、通常のハードディスク、メモリ等により構成される。
【００３４】
送信手段１７は、記憶手段１６に蓄積された変換後ＡＶデータの各ファイルをインターネット２０上の特定のＵＲＬにアップロードするもので、通常の自動転送ソフト等によって構成できる。
【００３５】
アクセス許可手段２１は、ＡＶデータの各ファイルがアップロードされたＵＲＬ（ホームページ）へのアクセスを特定の者のみに許可するためのもので、インターネット２０のサーバー側に設けられる。アクセス許可手段２１としては、通常行われているように、ＩＤ、パスワードを入力し、これらが登録されたものと一致する場合のみ、アクセスを許可する方式でもよいが、本実施例では、視聴先端末が有する唯一無二の文字列を利用した方式を採用している。
【００３６】
その前提として、ＵＲＬは、視聴先端末３０ごとに用意した唯一無二のアドレスになるようにする。視聴先端末３０が有する唯一無二の文字列としては、携帯電話なら携帯電話番号、パソコンならＯＳ登録番号や製品番号などが挙げられるが、これに限定されるものではなく、視聴先端末３０に固有となるユニークな番号、文字、記号等で構成される文字列であってもよい。この視聴先端末ごとの唯一無二の文字列はホスト端末１０からインターネット２０のサーバー側に登録される。そして、インターネットのサーバーは、前記ＵＲＬにアクセスのあった場合、その視聴先端末が有する唯一無二の文字列を確認し、その文字列がＵＲＬの閲覧を許可する文字列、すなわちインターネット２０のサーバーに予め登録された文字列と合致した場合にのみアクセスを許可する。
【００３７】
具体的には、視聴先端末３０からホームページのデータが入っているサーバーにアクセスがあると、サーバーはホームページのデータを視聴先端末３０に送信するより先に、視聴先端末３０が有する前記の文字列を読み取りに行く。そして、その文字列が確認され、それがサーバーに予め登録された文字列と合致したとき初めてホームページのデータを視聴先端末３０に送信する。
【００３８】
なお、このアクセス許可手段は、上述したように、視聴先端末で再生可能なＡＶデータ・フォーマット、分割後の１ファイル当たりの記録時間、録画の開始時間と終了時間等を視聴先端末３０から指定する際に上記ＵＲＬにアクセスする場合にも、その視聴先端末の唯一無二の文字列を確認し、その文字列が閲覧しようとするホームページから許可された文字列、すなわちインターネット２０のサーバーに予め登録された文字列と合致した場合にのみアクセスを許可、あるいは、ＩＤ、パスワードを確認して登録されたものと一致する場合のみアクセスを許可するようにして、上記各指定を特定の者のみに許可するようにする。
【００３９】
最後に、ダウンロード許可手段２２は、ＡＶデータの各ファイルのダウンロードを特定の者のみに許可するためのもので、インターネット２０のサーバー側に設けられる。このダウンロード許可手段２２も視聴先端末が有する唯一無二の文字列を利用したもので、ダウンロード指示のあった視聴先端末が有する唯一無二の文字列を確認し、その文字列が閲覧しようとするホームページから許可された文字列、すなわちインターネット２０のサーバーに予め登録された文字列と合致した場合にのみダウンロードを許可する。ダウンロードが許可されたら、ＡＶデータのファイルを１つずつダウンロードし視聴する。
【００４０】
以上の実施例では、分割手段１４によりＡＶデータを視聴先端末３０で一度に視聴可能なデータ量以下となるように複数のファイルに分割するようにしたが、視聴先端末３０の記憶容量が大きく分割する必要がない場合は、分割手段及びこれに付帯する記録時間指定手段を省略してもよい。また、送信手段１７によりＡＶデータの各ファイルをインターネット上の特定のＵＲＬにアップロードして、その後、視聴先端末３０に１ファイルずつダウンロードするようにしたが、視聴先端末３０の記憶容量が大きく一番組分の全てのＡＶデータを一度に受信し再生可能である場合、送信手段１７より視聴先端末３０にメールにより直接送信するようにしてもよい。
【産業上の利用可能性】
【００４１】
このシステムはマスコミ関係や株、先物関係、デイ・トレイダーの人達にとって非常に有用なものである。それは、ホスト端末を海外に設置して海外の放送をチェックすることにより、インターネットよりも早く情報を入手して、今後の自分の注目している事柄について、誰よりも早く先を予想することができるからである。
【００４２】
また海外で働く人が母国で放送されている番組を見ることができるということも、大きなメリットになる。
【００４３】
その他には、ＴＶ番組等には番組中もしくは番組終了後、所定時間内に応答しなければサービスや特典が得られない場合がある。このような場合、視聴先端末が手元にあり、通信可能な地域にいるだけでＴＶ番組等のサービスを受けることができるようになる。
【図面の簡単な説明】
【００４４】
【図１】本発明に係るＡＶデータ伝送システムの一実施例を示すシステム構成図である。
【図２】変換後のＡＶデータのフォーマットを指定するための表示画面例である。
【図３】視聴先端末からメールにより変換後のＡＶデータのフォーマットを指定するためのメールの内容例である。
【図４】ＡＶデータの１ファイル当たりの記録時間を指定するための表示画面例である。
【図５】視聴先端末からメールによりＡＶデータの１ファイル当たりの記録時間を指定するためのメールの内容例である。
【図６】録画の開始時間と終了時間を指定するための表示画面例である。
【図７】視聴先端末からメールにより録画の開始時間と終了時間を指定するためのメールの内容例である。
【符号の説明】
【００４５】
１０  ホスト端末
１１  受信手段
１２  ＡＶデータ・フォーマット変換手段
１３  ＡＶデータ・フォーマット指定手段
１４  分割手段
１５  記録時間指定手段
１６  記憶手段
１７  送信手段
１８  記録開始・終了時間指定手段
２０  インターネット
２１  アクセス許可手段
２２  ダウンロード許可手段
【図１】
2007043354.tif 000003
【図２】
2007043354.tif 000004
【図３】
2007043354.tif 000005
【図４】
2007043354.tif 000006
【図５】
2007043354.tif 000007
【図６】
2007043354.tif 000008
【図７】
2007043354.tif 000009